(57)【要約】【課題】ユーザが要求したコンテンツを送信するときに、送信設定者による送信設定情報を適用して送信すること。【解決手段】下記の要件を備えてなるコンテンツ送信装置を用いる。（Ａ）ユーザからコンテンツの要求を受けたとき、要求情報を記憶手段に記憶させること。（Ｂ）送信設定を行うとき、記憶手段に送信設定情報を要求情報と関連付けて記憶させること。（Ｃ）記憶手段から、要求情報と送信設定情報を取得して、それに基づいてコンテンツを作成してユーザに送信すること。【選択図】図１
2005258621.tif 000002
【特許請求の範囲】
【請求項１】
下記の要件を備えてなるコンテンツ送信装置。
（Ａ）ユーザからコンテンツの要求を受けたとき、要求情報を記憶手段に記憶させること。
（Ｂ）送信設定を行うとき、記憶手段に送信設定情報を要求情報と関連付けて記憶させること。
（Ｃ）記憶手段から、要求情報と送信設定情報を取得して、それに基づいてコンテンツを作成してユーザに送信すること。
【請求項２】
コンテンツ送信は、電子メールの送信によって実行することを特徴とする請求項１に記載のコンテンツ送信装置。
【請求項３】
要求情報は、ユーザ識別情報であることを特徴とする請求項１または２に記載のコンテンツ送信装置。
【請求項４】
要求情報は、ユーザ識別情報と基礎コンテンツ識別情報であることを特徴とする請求項１または２に記載のコンテンツ送信装置。
【請求項５】
送信先情報をユーザ識別情報として用いることを特徴とする請求項３または４に記載のコンテンツ送信装置。
【請求項６】
送信設定情報は、追加コンテンツ識別情報であることを特徴とする請求項１〜５のいずれかに記載のコンテンツ送信装置。
【請求項７】
送信設定情報は、追加コンテンツ識別情報と送信時刻であることを特徴とする請求項１〜５のいずれかに記載のコンテンツ送信装置。
【請求項８】
送信設定端末と接続され、
送信設定は、送信設定端末の操作によって行うことを特徴とする請求項１〜７のいずれかに記載のコンテンツ送信装置。
【請求項９】
複数の送信設定端末と接続されることを特徴とする請求項８に記載のコンテンツ送信装置。
【請求項１０】
送信設定端末から記憶手段の検索命令があったとき、検索結果を返すことを特徴とする請求項８または９に記載のコンテンツ送信装置。
【請求項１１】
要求情報に要求時刻をさらに含み、要求時刻から所定時間、送信設定が無かったときは、基礎コンテンツを基にコンテンツを作成して送信することを特徴とする請求項１〜１０のいずれかに記載のコンテンツ送信装置。
【請求項１２】
ネットワーク上で、請求項１〜１１のいずれかに記載のコンテンツ送信装置と共に機能するように構成されたコンテンツ要求誘引装置であって、
基礎コンテンツに対応する要求誘引コンテンツを記憶手段に有し、
要求誘引コンテンツをユーザに送信する手段を備えることを特徴とするコンテンツ要求誘引装置。
【請求項１３】
請求項１２に記載の発明であって、要求誘引コンテンツをユーザに送信するとき、基礎コンテンツ識別情報を含むことを特徴とするコンテンツ要求誘引装置。
【請求項１４】
コンピュータを、請求項１〜１１のいずれかに記載のコンテンツ送信装置として機能させるためのプログラム。
【請求項１５】
コンピュータを、請求項１２または１３に記載のコンテンツ要求誘引装置として機能させるためのプログラム。
【発明の詳細な説明】
【技術分野】
【０００１】
この発明は、コンテンツ送信装置、コンテンツ要求誘引装置、プログラムに関する。より詳しくは、電子メールの送信に好適なコンテンツ送信装置、コンテンツ要求誘引装置、プログラムに関する。
【背景技術】
【０００２】
従来は、次のような技術があった。すなわち、複数のユーザの端末装置に一律に同一のコンテンツを同じ時に送信することは行われていた。例えば、「メールマガジン」と呼ばれるもので、その典型的なスタイルのものは、ユーザは、メールアドレスを登録し、送信設定者は、メールマガジンコンテンツを送信し、送信装置は、このメールマガジンコンテンツを複数のユーザ宛に送信する仕組みであった。
【０００３】
また、複数のユーザ端末に異なる時に同一のコンテンツを送信することも行われていた。例えば、「メールブック」などと呼ばれるものは、送信装置には、予め、「登録日の１日後に送信すべきコンテンツ」「登録日の２日後に送信すべきコンテンツ」などが記憶されており、ユーザの登録に応じて、それぞれコンテンツが送信されるようになっている仕組みであった。
【０００４】
また、同一のコンテンツを基礎として、それにユーザの属性に応じた異なるコンテンツを追加し、送信することも行われていた。例えば、前述の「メールマガジン」において、コンテンツの一部については、血液型占いとし、ユーザの血液型ごとに異なるコンテンツを追加して送信することも以前から行われてきた。
【０００５】
また、ユーザの属性による条件によって、ユーザを限定した上で、コンテンツを送信することも行われていた。例えば、「オプトインメール」と呼ばれるものは、ユーザは、メールアドレス、属性、興味分野を登録し、送信設定者は、ユーザの属性や興味分野によって条件を指定して、該当するユーザにメールを送信する仕組みであった。従来技術についての参考文献として、下記「非特許文献１」を挙げる。
【非特許文献１】「日経ネットビジネス」２００２年１１月号、Ｐ１０６〜１０８
【発明の開示】
【発明が解決しようとする課題】
【０００６】
しかしながら、一般に、「メールブック」においては、送信装置に記憶されたコンテンツをそのまま送信しているから、古い情報になりやすく、ユーザに関心を持って読まれるとは言い難かった。時事の話題などを取り入れたほうが、ユーザに関心を持たれやすい。
【０００７】
送信設定者にも都合がある。新商品の発売、商品の売れ行き状況などによって、ユーザに送信するコンテンツを決めることができるような仕組みを望むかもしれない。
【０００８】
「オプトインメール」は、最初の登録こそ、ユーザの都合で行われるものの、実際のコンテンツの送信は、送信設定者の都合の良い内容のコンテンツで、かつ、送信設定者の都合の良いタイミングで行われるため、必ずしも、ユーザが当該コンテンツに関心が高い状況のときに送られるとは限らなかった。特に、実際のコンテンツ送信が、登録時からしばらく経っている場合は、興味分野が大きく変化していることが多かった。
【０００９】
このように、ユーザが必要としない、関心が薄い状態でコンテンツが送信されることがあった。この発明の目的は、ユーザに高関心の状況で見られるようにコンテンツを送信することにある。より詳しくは、ユーザが要求したコンテンツを送信するときに、送信設定者による送信設定情報を適用して送信することである。
【００１０】
この発明の別の目的は、複数の基礎コンテンツを扱うことができるようにすることである。
【００１１】
この発明の別の目的は、複数の送信設定者が送信設定することができるようにすることである。
【００１２】
この発明の別の目的は、コンテンツの送信時刻を設定できるようにすることである。
【００１３】
この発明の別の目的は、多くのユーザがコンテンツ要求をするように、効率良くコンテンツ要求を誘引することにある。
【００１４】
この発明の別の目的は、送信設定者が、コンテンツ要求の状況を見ながら、送信設定ができるようにすることにある。例えば、送信設定者が、「ある基礎コンテンツを要求したユーザに送ろうと思うが、その基礎コンテンツを要求しているユーザが多いので、属性で数を絞ろう」「ある基礎コンテンツを要求したユーザに送ろうと思うが、その基礎コンテンツを要求しているユーザが少ないので、属性で絞らず、さらに、他の基礎コンテンツを要求したユーザも対象に含めよう」というような判断をもとに送信設定ができるようにすることである。
【００１５】
ユーザは、コンテンツ要求をしたときは、確実にコンテンツの送信を受けたいと考えるだろう。この要望に応えることがユーザのシステムに対する信頼を高める。この発明の別の目的は、ユーザのコンテンツ要求に対して送信設定者からの送信設定が無いときでも、ユーザにコンテンツを送信することにある。
【課題を解決するための手段】
【００１６】
請求項１に記載の発明は、下記の要件を備えてなるコンテンツ送信装置である。
（Ａ）ユーザからコンテンツの要求を受けたとき、要求情報を記憶手段に記憶させること。
（Ｂ）送信設定を行うとき、記憶手段に送信設定情報を要求情報と関連付けて記憶させること。
（Ｃ）記憶手段から、要求情報と送信設定情報を取得して、それに基づいてコンテンツを作成してユーザに送信すること。
【００１７】
請求項２に記載の発明は、コンテンツ送信は、電子メールの送信によって実行することを特徴とする請求項１に記載のコンテンツ送信装置である。
【００１８】
請求項３に記載の発明は、要求情報は、ユーザ識別情報であることを特徴とする請求項１または２に記載のコンテンツ送信装置である。
【００１９】
請求項４に記載の発明は、要求情報は、ユーザ識別情報と基礎コンテンツ識別情報であることを特徴とする請求項１または２に記載のコンテンツ送信装置である。
【００２０】
請求項５に記載の発明は、送信先情報をユーザ識別情報として用いることを特徴とする請求項３または４に記載のコンテンツ送信装置である。
【００２１】
請求項６に記載の発明は、送信設定情報は、追加コンテンツ識別情報であることを特徴とする請求項１〜５のいずれかに記載のコンテンツ送信装置である。
【００２２】
請求項７に記載の発明は、送信設定情報は、追加コンテンツ識別情報と送信時刻であることを特徴とする請求項１〜５のいずれかに記載のコンテンツ送信装置である。
【００２３】
請求項８に記載の発明は、送信設定端末と接続され、
送信設定は、送信設定端末の操作によって行うことを特徴とする請求項１〜７のいずれかに記載のコンテンツ送信装置である。
【００２４】
請求項９に記載の発明は、複数の送信設定端末と接続されることを特徴とする請求項８に記載のコンテンツ送信装置である。
【００２５】
請求項１０に記載の発明は、送信設定端末から記憶手段の検索命令があったとき、検索結果を返すことを特徴とする請求項８または９に記載のコンテンツ送信装置である。
【００２６】
請求項１１に記載の発明は、要求情報に要求時刻をさらに含み、要求時刻から所定時間、送信設定が無かったときは、基礎コンテンツを基にコンテンツを作成して送信することを特徴とする請求項１〜１０のいずれかに記載のコンテンツ送信装置である。
【００２７】
請求項１２に記載の発明は、ネットワーク上で、請求項１〜１１のいずれかに記載のコンテンツ送信装置と共に機能するように構成されたコンテンツ要求誘引装置であって、
基礎コンテンツに対応する要求誘引コンテンツを記憶手段に有し、
要求誘引コンテンツをユーザに送信する手段を備えることを特徴とするコンテンツ要求誘引装置である。
【００２８】
請求項１３に記載の発明は、請求項１２に記載の発明であって、要求誘引コンテンツをユーザに送信するとき、基礎コンテンツ識別情報を含むことを特徴とするコンテンツ要求誘引装置である。
【００２９】
請求項１４に記載の発明は、コンピュータを、請求項１〜１１のいずれかに記載のコンテンツ送信装置として機能させるためのプログラムである。
【００３０】
請求項１５に記載の発明は、コンピュータを、請求項１２または１３に記載のコンテンツ要求誘引装置として機能させるためのプログラムである。
【発明の効果】
【００３１】
この発明によれば、次のような効果がある。
【００３２】
送信設定者は、ユーザに効果的にコンテンツを送信できる。すなわち、コンテンツを要求したユーザに、自らが送信したいコンテンツを追加して送信することで、ユーザに関心を持って接してもらい易い。ユーザは、要求したコンテンツの送信を受けられるので、ユーザにもメリットがある。
【００３３】
商業的効果に着目すれば、次のような効果がある。
【００３４】
コンテンツ送信装置の運営者は、送信設定者と同じでも異なってもよいが、異なる場合には、コンテンツ送信装置の運営者は、送信設定者から、コンテンツ送信による対価を受けることが考えられる。前述のように送信設定者は、ユーザに効果的にコンテンツを送信できるから、運営者はより多くの対価を受けることができるだろう。さらに、基礎コンテンツに対応する要求誘引コンテンツを利用することで効率よくユーザのコンテンツ要求を増やすことができ、このことは送信設定者からの対価の支払い増加に貢献するだろう。
【発明を実施するための最良の形態】
【００３５】
◆◆◆第１実施形態
まず、この発明の第１実施形態について説明する。図１は、第１実施形態のコンテンツ送受信システムを表すブロック図である。コンテンツ送受信システムは、コンテンツ送信装置１００と、端末装置２００，２０１，２０２．．．と、設定端末装置３００，３０１，３０２．．．とを備える。これらの装置は、常時または必要に応じてネットワークを介して接続される。ネットワークはインターネットでもよい。
【００３６】
コンテンツ送信装置１００は、コンテンツ要求処理手段１１０と、コンテンツ送信設定手段１２０と、コンテンツ送信手段１３０と、ユーザ情報記憶手段１５０と、コンテンツ要求情報記憶手段１６０と、基礎コンテンツ記憶手段１７０と、追加コンテンツ記憶手段１８０とを有する。
【００３７】
ユーザ情報記憶手段１５０には、ユーザ情報ファイルが記憶される。ユーザ情報ファイルには、ユーザ識別情報と送信先情報と属性情報が関連付けて記憶される。データ構造の例を図２に示す。
【００３８】
コンテンツ要求情報記憶手段１６０には、コンテンツ要求情報ファイルが記憶される。コンテンツ要求情報ファイルには、ユーザ識別情報と基礎コンテンツ識別情報と追加コンテンツ識別情報が関連付けて記憶される。データ構造の例を図３に示す。
【００３９】
基礎コンテンツ記憶手段１７０には、基礎コンテンツファイルが記憶される。基礎コンテンツ識別情報の特定によって、基礎コンテンツが特定されるように記憶される。ここでは、基礎コンテンツ識別情報をファイル名とする。データ構造の例を図４に示す。
【００４０】
追加コンテンツ記憶手段１８０には、追加コンテンツファイルが記憶される。追加コンテンツ識別情報の特定によって、追加コンテンツが特定されるように記憶される。ここでは、追加コンテンツ識別情報をファイル名とする。データ構造の例を図５に示す。
【００４１】
次に、システムの動作について説明する。システムの動作は、概ね次の流れになる。すなわち、「コンテンツ要求」「コンテンツ送信設定」「コンテンツ送信」である。
【００４２】
ここでは、ユーザ識別情報Ｕ００１であるユーザが端末装置２００を操作し、ユーザ識別情報Ｕ００２であるユーザが端末装置２０１を操作するものとして例を挙げて説明する。
【００４３】
◆コンテンツ要求
ユーザが、端末装置を操作して、コンテンツ送信装置に対して、コンテンツ送信を要求するステップである。
【００４４】
端末装置２００，２０１，２０２．．．は、ユーザの操作によって、ユーザ識別情報と基礎コンテンツ識別情報をコンテンツ送信装置１００に送信する。
【００４５】
コンテンツ要求処理手段１１０は、端末装置２００，２０１，２０２．．．から、ユーザ識別情報と基礎コンテンツ識別情報を受信したときは、これらをコンテンツ要求情報記憶手段１６０に記憶させる。
【００４６】
この例では、端末装置２００を操作するユーザと端末装置２０１を操作するユーザがともに基礎コンテンツ識別情報Ｂ００１であるコンテンツを要求したものとしている。
【００４７】
◆コンテンツ送信設定
送信設定者が、設定端末装置を操作して、送信設定をするステップである。
【００４８】
必要に応じて、コンテンツ要求情報検索をする。設定端末装置３００，３０１，３０２．．．は、検索命令をコンテンツ送信装置１００に送信する。コンテンツ送信設定手段１２０は、その検索命令を受けて、コンテンツ要求情報記憶手段１６０やユーザ情報記憶手段１５０を検索し、検索結果を設定端末装置３００，３０１，３０２．．．に送信する。検索結果は、該当件数や該当情報のリストを示す。
【００４９】
設定端末装置３００，３０１，３０２．．．は、送信設定者の操作によって、基礎コンテンツ識別情報とユーザ属性情報条件と追加コンテンツをコンテンツ送信装置１００に送信する。このとき、追加コンテンツそのものではなく、追加コンテンツ識別情報を代わりに送信することで送信設定ができるようにしてもよい。また、先に、コンテンツ要求情報検索の結果を得ている場合には、ユーザ属性情報条件ではなく、ユーザ識別情報のリストを送信することができるようにしてもよい。
【００５０】
ここでは、設定端末装置３００を操作する送信設定者が、「基礎コンテンツ識別情報＝Ｂ００１、ユーザ属性情報条件＝男」と指定したこととし、設定端末装置３０１を操作する送信設定者が、「基礎コンテンツ識別情報＝Ｂ００１、ユーザ属性情報条件＝女」と指定したこととする。
【００５１】
コンテンツ送信設定手段１２０は、受信した追加コンテンツに一意の追加コンテンツ識別情報を振るとともに、追加コンテンツ識別情報をファイル名とするファイルを追加コンテンツ記憶手段１８０に作成する。そして、そのファイルに受信した追加コンテンツを記憶させる。また、コンテンツ要求情報記憶手段１６０の各レコードについて、さらにユーザ情報記憶手段１５０も参照しつつ、受信した基礎コンテンツ識別情報とユーザ属性情報条件を満たすかどうかを検索し、満たすときは、追加コンテンツ識別情報を追記して更新する。
【００５２】
◆コンテンツ送信
コンテンツ送信装置が、端末装置に対して、コンテンツを送信するステップである。このときの、コンテンツ送信には、ユーザからのコンテンツ要求と送信設定者からの送信設定情報が反映される。
【００５３】
コンテンツ送信手段１３０は、コンテンツ要求情報記憶手段１６０の各レコードについて、追加コンテンツ識別情報が記憶されている場合には、コンテンツ送信を行う。コンテンツ送信は、次のように実行される。基礎コンテンツ識別情報を基に基礎コンテンツ記憶手段１７０を検索して基礎コンテンツを取得し、追加コンテンツ識別情報を基に追加コンテンツ記憶手段１８０を検索して追加コンテンツを取得し、それらに基づいて、送信コンテンツを作成する。そして、ユーザ識別情報を基にユーザ情報記憶手段１５０を検索して送信先情報を取得し、前記送信コンテンツを送信先に送信する。
【００５４】
このコンテンツを受信した端末装置２００における表示例を図６に示す。また、コンテンツを受信した端末装置２０１における表示例を図７に示す。
【００５５】
◆◆◆第２実施形態
次に、この発明の第２実施形態について説明する。図８は、第２実施形態のコンテンツ送受信システムを表すブロック図である。コンテンツ送受信システムは、コンテンツ送信装置１００と、端末装置２００，２０１，２０２．．．と、設定端末装置３００，３０１，３０２．．．と、コンテンツ要求誘引装置４００とを備える。これらの装置は、常時または必要に応じてネットワークを介して接続される。ネットワークはインターネットでもよい。
【００５６】
コンテンツ送信装置１００は、コンテンツ要求処理手段１１０と、コンテンツ送信設定手段１２０と、コンテンツ送信手段１３０と、ユーザ情報記憶手段１５０と、コンテンツ要求情報記憶手段１６０と、基礎コンテンツ記憶手段１７０と、追加コンテンツ記憶手段１８０とを有する。
【００５７】
ユーザ情報記憶手段１５０には、ユーザ情報ファイルが記憶される。ユーザ情報ファイルには、送信先情報と属性情報が関連付けて記憶される。データ構造の例を図９に示す。
【００５８】
コンテンツ要求情報記憶手段１６０には、コンテンツ要求情報ファイルが記憶される。コンテンツ要求情報ファイルには、送信先情報と基礎コンテンツ識別情報と追加コンテンツ識別情報とコンテンツ要求時刻とコンテンツ送信時刻とが関連付けて記憶される。データ構造の例を図１０に示す。
【００５９】
基礎コンテンツ記憶手段１７０には、基礎コンテンツファイルが記憶される。基礎コンテンツ識別情報の特定によって、基礎コンテンツが特定されるように記憶される。ここでは、基礎コンテンツ識別情報をファイル名とする。データ構造の例を図１１に示す。
【００６０】
追加コンテンツ記憶手段１８０には、追加コンテンツファイルが記憶される。追加コンテンツ識別情報の特定によって、追加コンテンツが特定されるように記憶される。ここでは、追加コンテンツ識別情報をファイル名とする。データ構造の例を図１２に示す。
【００６１】
コンテンツ要求誘引装置４００は、コンテンツ要求誘引手段４１０と、要求誘引コンテンツ記憶手段４５０と、送信先情報記憶手段４６０とを有する。
【００６２】
要求誘引コンテンツ記憶手段４５０には、要求誘引コンテンツファイルが記憶される。要求誘引コンテンツファイルには、基礎コンテンツの要求を誘引するためのコンテンツ（要求誘引コンテンツ）が記憶される。誘引する対象となる基礎コンテンツ識別情報が含まれるような構成とする。データ構造の例を図１３に示す。
【００６３】
送信先情報記憶手段４６０には、送信先情報ファイルが記憶される。送信先情報ファイルには、要求誘引コンテンツの送信先が記憶される。データ構造の例を図１４に示す。
【００６４】
なお、第２実施形態では、第１実施形態のようにユーザ識別情報を別途用意するのではなく、送信先情報をユーザ識別情報として扱っている。
【００６５】
次に、システムの動作について説明する。システムの動作は、概ね次の流れになる。すなわち、「コンテンツ要求誘引」「コンテンツ要求」「コンテンツ送信設定」「コンテンツ送信」である。
【００６６】
ここでは、送信先情報ｓａｔｏ＠ａｂｃ．ｘｘ．ｊｐであるユーザが端末装置２００を操作し、送信先情報ｉｔｏ＠ｄｅｆ．ｘｘ．ｊｐであるユーザが端末装置２０１を操作するものとして例を挙げて説明する。
【００６７】
◆コンテンツ要求誘引
コンテンツ要求を誘引するステップである。要求誘引コンテンツを端末装置に送信するステップである。
【００６８】
コンテンツ要求誘引手段４１０は、要求誘引コンテンツ記憶手段４５０からは要求誘引コンテンツを、送信先情報記憶手段４６０からは送信先情報を取得して、送信すべきコンテンツを作成して、端末装置２００，２０１，２０２．．．に送信する。このとき、基礎コンテンツ識別情報が含まれるようにする。この例では、送信先情報を挿入すべき箇所（＄＄ａｄｄｒｅｓｓ＄＄）に送信先情報を挿入することとしている。
【００６９】
◆コンテンツ要求
ユーザが、端末装置を操作して、コンテンツ送信装置に対して、コンテンツ送信を要求するステップである。
【００７０】
端末装置２００，２０１，２０２．．．は、ユーザの操作によって、送信先情報と基礎コンテンツ識別情報をコンテンツ送信装置１００に送信する。この例では、電子メール中のＵＲＬをクリックすることで、送信先情報と基礎コンテンツ識別情報を簡単に送信することができるようになっている。
【００７１】
コンテンツ要求処理手段１１０は、端末装置２００，２０１，２０２．．．から、送信先情報と基礎コンテンツ識別情報を受信したときは、これらとコンテンツ要求時刻をコンテンツ要求情報記憶手段１６０に記憶させる。
【００７２】
この例では、端末装置２００を操作するユーザと端末装置２０１を操作するユーザがともに基礎コンテンツ識別情報Ｂ００１であるコンテンツを要求したものとしている。
【００７３】
送信先情報がユーザ情報記憶手段１５０に存在するかをチェックして、存在しなければ、コンテンツ要求を拒否したり、ユーザ登録（詳細説明は省く）を促したりしてもよい。
【００７４】
◆コンテンツ送信設定
送信設定者が、設定端末装置を操作して、送信設定をするステップである。
【００７５】
必要に応じて、コンテンツ要求情報検索をする。設定端末装置３００，３０１，３０２．．．は、検索命令をコンテンツ送信装置１００に送信する。コンテンツ送信設定手段１２０は、その検索命令を受けて、コンテンツ要求情報記憶手段１６０やユーザ情報記憶手段１５０を検索し、検索結果を設定端末装置３００，３０１，３０２．．．に送信する。検索結果は、該当件数や該当情報のリストを示す。
【００７６】
設定端末装置３００，３０１，３０２．．．は、送信設定者の操作によって、基礎コンテンツ識別情報とユーザ属性情報条件と追加コンテンツとコンテンツ送信時刻をコンテンツ送信装置１００に送信する。このとき、追加コンテンツそのものではなく、追加コンテンツ識別情報を代わりに送信することで送信設定ができるようにしてもよい。
【００７７】
ここでは、設定端末装置３００を操作する送信設定者が、「基礎コンテンツ識別情報＝Ｂ００１、ユーザ属性情報条件＝男」と指定したこととし、設定端末装置３０１を操作する送信設定者が、「基礎コンテンツ識別情報＝Ｂ００１、ユーザ属性情報条件＝女」と指定したこととする。
【００７８】
コンテンツ送信設定手段１２０は、受信した追加コンテンツに一意の追加コンテンツ識別情報を振るとともに、追加コンテンツ識別情報をファイル名とするファイルを追加コンテンツ記憶手段１８０に作成する。そして、そのファイルに受信した追加コンテンツを記憶させる。また、コンテンツ要求情報記憶手段１６０の各レコードについて、さらにユーザ情報記憶手段１５０も参照しつつ、受信した基礎コンテンツ識別情報とユーザ属性情報条件を満たすかどうかを検索し、満たすときは、追加コンテンツ識別情報とコンテンツ送信時刻を追記して更新する。
【００７９】
◆コンテンツ送信
コンテンツ送信装置が、端末装置に対して、コンテンツを送信するステップである。このときの、コンテンツ送信には、ユーザからのコンテンツ要求と送信設定者からの送信設定情報が反映される。
【００８０】
コンテンツ送信手段１３０は、コンテンツ要求情報記憶手段１６０の各レコードについて、コンテンツ送信時刻を取得しコンテンツ送信時刻が到来している場合には、コンテンツ送信を行う。コンテンツ送信は、次のように実行される。基礎コンテンツ識別情報を基に基礎コンテンツ記憶手段１７０を検索して基礎コンテンツを取得し、追加コンテンツ識別情報を基に追加コンテンツ記憶手段１８０を検索して追加コンテンツを取得し、それらに基づいて、送信コンテンツを作成する。そして、送信先情報を取得し、前記送信コンテンツを送信先に送信する。コンテンツ要求時刻から所定時間を経過しても送信設定がされないときは、追加コンテンツは無しとして、または別に記憶する既定の追加コンテンツに基づいて、コンテンツ送信を行うこととしてもよい。
【００８１】
このコンテンツを受信した端末装置２００における表示例を図１５に示す。また、コンテンツを受信した端末装置２０１における表示例を図１６に示す。
【００８２】
これまで、第１・第２実施形態について説明したが、この発明の実施形態はこれらに限定されるものではない。また、以下の事項を補足する。
【００８３】
「基礎コンテンツ」とは、送信コンテンツを作成する際に、基礎となるコンテンツである。「追加コンテンツ」とは、基礎コンテンツに追加して送信コンテンツを作成するためのコンテンツである。「送信コンテンツ」とは、基礎コンテンツおよび追加コンテンツを基にして作成したコンテンツであって、ユーザの端末装置に送信するコンテンツである。
【００８４】
送信コンテンツは、基礎コンテンツをそのままですべて含むとは限らない。送信コンテンツは、基礎コンテンツを一部のみ含むように構成してもよい。
【００８５】
送信コンテンツは、追加コンテンツをそのままですべて含むとは限らない。送信コンテンツは、追加コンテンツを一部のみ含むように構成してもよい。
【００８６】
送信コンテンツは、基礎コンテンツと追加コンテンツのみからなるとは限らない。送信コンテンツは、基礎コンテンツと追加コンテンツ以外のコンテンツを含むことがあってもよい。
【００８７】
送信コンテンツは、基礎コンテンツと追加コンテンツとを単純に連結したものであるとは限らない。送信コンテンツは、基礎コンテンツと追加コンテンツとを、入り交じるように編集して作成したものであってもよい。
【００８８】
送信コンテンツにおける、基礎コンテンツや追加コンテンツの割合については限定されない。基礎コンテンツの割合の方が多いこともあるし、追加コンテンツの割合の方が多いこともある。
【００８９】
基礎コンテンツや追加コンテンツが、他の基礎コンテンツに対応する要求誘引コンテンツと兼ねることがあってもよい。
【００９０】
送信コンテンツは、１つの基礎コンテンツと１つの追加コンテンツに基づいて作成されるとは限らない。送信コンテンツを作成するとき、複数の基礎コンテンツと１つの追加コンテンツに基づくものとしてもよい。送信コンテンツを作成するとき、１つの基礎コンテンツと複数の追加コンテンツに基づくものとしてもよい。送信コンテンツを作成するとき、複数の基礎コンテンツと複数の追加コンテンツに基づくものとしてもよい。
【００９１】
コンテンツは、テキスト（文字）であるとは限らない。コンテンツは、テキストのほかに、静止画像、動画、音声などであってもよい。コンテンツは、プログラムであってもよい。コンテンツは、マークアップ言語（例えば、ＨＴＭＬ、ＸＭＬ）で記述されていてもよい。コンテンツは、これらの１種類のみであってもよいが、２種類以上であってもよい。例えば、ある基礎コンテンツがテキストであって、別の基礎コンテンツが動画であってもよい。これ以外の組み合わせであってもよい。
【００９２】
基礎コンテンツと追加コンテンツと要求誘引コンテンツは、すべてが同じ種類のコンテンツである場合に限られない。例えば、基礎コンテンツがテキストであって、追加コンテンツが静止画像であって、要求誘引コンテンツが動画であってもよい。これ以外の組み合わせであってもよい。
【００９３】
また、基礎コンテンツと追加コンテンツと要求誘引コンテンツのいずれかまたはすべてについて、複数の種類のコンテンツから成るようにしてもよい。例えば、基礎コンテンツが、テキストと静止画像の両方から構成されていてもよい。これ以外の組み合わせであってもよい。
【００９４】
基礎コンテンツと要求誘引コンテンツは、１対１で対応するようにしてもよいが、必ずしもそうでなくてもよい。一の基礎コンテンツに、複数の要求誘引コンテンツが対応するように構成してもよい。一の要求誘引コンテンツに、複数の基礎コンテンツが対応するように構成してもよい。
【００９５】
基礎コンテンツ識別情報や追加コンテンツ識別情報について、ＵＲＬを用いてもよい。基礎コンテンツや追加コンテンツをネットワーク経由で取得するようにしてもよい。
【００９６】
コンテンツ送信装置１００から端末装置に直接的にコンテンツ送信が行われることに限定されない。コンテンツ送信装置１００から１個または複数個の装置を介して間接的に端末装置にコンテンツが送信される構成としてもよい。
【００９７】
送信先情報は、メールアドレスに限らない。送信先を特定するための情報であって、他のものを利用してもよい。送信先情報として、電話番号、ＩＰアドレスなどを用いてもよい。
【００９８】
端末装置や設定端末装置は、パーソナルコンピュータに限らない。端末装置や設定端末装置として、携帯電話機、固定電話機、テレビ放送受信機、ラジオ放送受信機、コンビニ情報端末、情報家電などを用いてもよい。
【００９９】
一のユーザについて、コンテンツ要求を操作する端末装置と、コンテンツ送信を受ける端末装置が同じでなくてもよい。例えば、あるユーザについて、自宅のパソコンを操作して、コンテンツ要求をし、外出に持って出た携帯電話機でコンテンツの送信を受けることができるようにしてもよい。
【０１００】
システム上に、基礎コンテンツが１個しか存在しないとき、基礎コンテンツ識別情報は、必ずしも必要ない。
【０１０１】
コンテンツ要求において、次のようにしてもよい。ユーザ識別情報と基礎コンテンツ識別情報の一方または両方をコード化して印刷された紙を端末装置が読み取って取得し、コンテンツ送信装置に送信することとしてもよい。ユーザ識別情報と基礎コンテンツ識別情報の一方または両方を記録した記録媒体を端末装置が読み取って取得し、コンテンツ送信装置に送信することとしてもよい。
【０１０２】
第２実施形態において、コンテンツ要求誘引装置４００を複数備える構成としてもよい。
【０１０３】
属性情報としては、性別だけでなく、そのほかのものを用いることもできる。また、性別と年齢など複数用いることもできる。
【０１０４】
第２実施形態において、コンテンツ送信装置１００とコンテンツ要求誘引装置４００をまとめて構成してもよい。変形例を図１７に示す。
【０１０５】
第２実施形態において、コンテンツ送信装置１００がさらに自動送信設定情報記憶手段を有する構成として、送信設定者がそのつど送信設定の操作をしなくとも、自動で送信設定されるようにしてもよい。自動送信設定情報記憶手段のデータ構造の例を図１８に示す。
【０１０６】
第２実施形態において、コンテンツ要求誘引装置４００として、一般にメールマガジン配信装置として知られているものを利用してもよい。この場合、メールマガジン発行者が操作する端末装置から送信されたメールマガジンコンテンツを読者のメールアドレス宛に送信するときに、要求誘引コンテンツを合わせて送信することとしてもよい。
【図面の簡単な説明】
【０１０７】
【図１】第１実施形態のコンテンツ送受信システムを表すブロック図。
【図２】第１実施形態におけるユーザ情報記憶手段１５０のデータ構造の例を表す図。
【図３】第１実施形態におけるコンテンツ要求情報記憶手段１６０のデータ構造の例を表す図。
【図４】第１実施形態における基礎コンテンツ記憶手段１７０のデータ構造の例を表す図。
【図５】第１実施形態における追加コンテンツ記憶手段１８０のデータ構造の例を表す図。
【図６】第１実施形態における送信コンテンツを受信した端末装置２００の表示例を表す図。
【図７】第１実施形態における送信コンテンツを受信した端末装置２０１の表示例を表す図。
【図８】第２実施形態のコンテンツ送受信システムを表すブロック図。
【図９】第２実施形態におけるユーザ情報記憶手段１５０のデータ構造の例を表す図。
【図１０】第２実施形態におけるコンテンツ要求情報記憶手段１６０のデータ構造の例を表す図。
【図１１】第２実施形態における基礎コンテンツ記憶手段１７０のデータ構造の例を表す図。
【図１２】第２実施形態における追加コンテンツ記憶手段１８０のデータ構造の例を表す図。
【図１３】第２実施形態における要求誘引コンテンツ記憶手段４５０のデータ構造の例を表す図。
【図１４】第２実施形態における送信先情報記憶手段４６０のデータ構造の例を表す図。
【図１５】第２実施形態における送信コンテンツを受信した端末装置２００の表示例を表す図。
【図１６】第２実施形態における送信コンテンツを受信した端末装置２０１の表示例を表す図。
【図１７】第２実施形態の変形例のコンテンツ送受信システムを表すブロック図。
【図１８】第２実施形態の別の変形例における自動送信設定情報記憶手段のデータ構造の例を表す図。
【符号の説明】
【０１０８】
１００  コンテンツ送信装置
１１０  コンテンツ要求処理手段
１２０  コンテンツ送信設定手段
１３０  コンテンツ送信手段
１５０  ユーザ情報記憶手段
１６０  コンテンツ要求情報記憶手段
１７０  基礎コンテンツ記憶手段
１８０  追加コンテンツ記憶手段
２００，２０１，２０２．．．  端末装置
３００，３０１，３０２．．．  設定端末装置
４００  コンテンツ要求誘引装置
４１０，（１４０）  コンテンツ要求誘引手段
４５０，（１９０）  要求誘引コンテンツ記憶手段
４６０  送信先情報記憶手段
【図１】
2005258621.tif 000003
【図２】
2005258621.tif 000004
【図３】
2005258621.tif 000005
【図４】
2005258621.tif 000006
【図５】
2005258621.tif 000007
【図６】
2005258621.tif 000008
【図７】
2005258621.tif 000009
【図８】
2005258621.tif 000010
【図９】
2005258621.tif 000011
【図１０】
2005258621.tif 000012
【図１１】
2005258621.tif 000013
【図１２】
2005258621.tif 000014
【図１３】
2005258621.tif 000015
【図１４】
2005258621.tif 000016
【図１５】
2005258621.tif 000017
【図１６】
2005258621.tif 000018
【図１７】
2005258621.tif 000019
【図１８】
2005258621.tif 000020